(57)【要約】【課題】記録媒体をセットしやすくすることができる媒体収納装置を得る。【解決手段】本発明の媒体収納装置は、第１の方向に延伸し第２の方向に並ぶ第１の部分および第２の部分と、第１の部分および第２の部分を互いに接続する第３の部分とを有し、基準位置から第１の部分が持ち上がるように傾斜可能であり、記録媒体を支持する支持部材と、第１の部分および第２の部分の間に設けられた部分を含む第１の基部と、第１の立設部とを有し、記録媒体をガイドする第１のガイド部材とを備える。支持部材が基準位置にある場合において、第１の基部の、第１の部分に近接する領域における上面の第１の高さ位置は、第１の部分の、第１の基部に近接する領域における上面の第２の高さ位置よりも低く、第２の部分の、第１の基部に近接する領域における上面の第３の高さ位置は、第１の基部の、第２の部分に近接する領域における上面の第４の高さ位置よりも低い。【選択図】図５
2020050467.tif 000002
【特許請求の範囲】
【請求項１】
第１の方向に延伸するとともに前記第１の方向と交差する第２の方向に並ぶ第１の部分および第２の部分と、前記第１の部分および前記第２の部分を互いに接続する第３の部分とを有し、基準位置から前記第１の部分が持ち上がるように傾斜可能であり、記録媒体を支持する支持部材と、
前記第１の部分および前記第２の部分の間に設けられた部分を含む第１の基部と、前記第１の基部に対して立設する第１の立設部とを有し、前記記録媒体をガイドする第１のガイド部材と
を備え、
前記支持部材が前記基準位置にある場合において、
前記第１の基部の、前記第１の部分に近接する領域における上面の第１の高さ位置は、前記第１の部分の、前記第１の基部に近接する領域における上面の第２の高さ位置よりも低く、
前記第２の部分の、前記第１の基部に近接する領域における上面の第３の高さ位置は、前記第１の基部の、前記第２の部分に近接する領域における上面の第４の高さ位置よりも低い
媒体収納装置。
【請求項２】
前記第１の高さ位置は、前記第１の基部の、前記第１の立設部に近接する領域における上面の高さ位置であり、
前記第４の高さ位置は、前記第１の基部の、前記第１の立設部に近接する領域における上面の高さ位置である
請求項１に記載の媒体収納装置。
【請求項３】
前記第４の高さ位置は、前記第１の高さ位置よりも高い
請求項１または請求項２に記載の媒体収納装置。
【請求項４】
前記支持部材および前記第１のガイド部材が設けられ、筐体にスライドして挿入可能な媒体ケースと、
前記筐体に前記媒体ケースをセットしたときに前記第１の部分を持ち上げることにより前記支持部材を傾斜させる持ち上げ部と
をさらに備えた
請求項１から請求項３のいずれか一項に記載の媒体収納装置。
【請求項５】
前記第１のガイド部材は、前記第１の方向に移動可能である
請求項１から請求項４のいずれか一項に記載の媒体収納装置。
【請求項６】
前記第１のガイド部材の前記第１の立設部は、前記第１の部分の上部において前記第２の方向に延伸する延伸部分を有し、
前記第１のガイド部材は、前記第１の立設部の前記延伸部分に設けられた回転支点を中心にして回動可能であり、前記記録媒体をガイドする回動部をさらに有する
請求項１から請求項５のいずれか一項に記載の媒体収納装置。
【請求項７】
前記第３の部分を挟んで前記第１のガイド部材と対向配置され、前記第１の部分と前記第２の部分との間に設けられた部分を含む第２の基部と、前記第２の基部に対して立設する第２の立設部とを有し、前記記録媒体をガイドする第２のガイド部材をさらに備えた
請求項１から請求項６のいずれか一項に記載の媒体収納装置。
【請求項８】
記録媒体を収納する媒体収納部と、
前記媒体収納部に収納された前記記録媒体を搬送する搬送部と、
前記搬送部により搬送された前記記録媒体に画像を形成する画像形成部と
を備え、
前記媒体収納部は、
第１の方向に延伸するとともに前記第１の方向と交差する第２の方向に並ぶ第１の部分および第２の部分と、前記第１の部分および前記第２の部分を互いに接続する第３の部分とを有し、基準位置から前記第１の部分が持ち上がるように傾斜可能であり、記録媒体を支持する支持部材と、
前記第１の部分および前記第２の部分の間に設けられた部分を含む第１の基部と、前記第１の基部に対して立設する第１の立設部とを有し、前記記録媒体をガイドする第１のガイド部材と
を有し、
前記支持部材が前記基準位置にある場合において、
前記第１の基部の、前記第１の部分に近接する領域における上面の第１の高さ位置は、前記第１の部分の、前記第１の基部に近接する領域における上面の第２の高さ位置よりも低く、
前記第２の部分の、前記第１の基部に近接する領域における上面の第３の高さ位置は、前記第１の基部の、前記第２の部分に近接する領域における上面の第４の高さ位置よりも低い
画像形成装置。
【発明の詳細な説明】
【技術分野】
【０００１】
本発明は、記録媒体を収納する媒体収納装置、およびそのような媒体収納装置を備えた画像形成装置に関する。
【背景技術】
【０００２】
画像形成装置では、記録媒体が媒体収納装置にセットされ、この媒体収納装置から搬送された記録媒体に画像が形成される。例えば、特許文献１には、記録媒体を支持するシートレシーブを備えた給紙カセットが開示されている。
【先行技術文献】
【特許文献】
【０００３】
【特許文献１】特開２００４−１０６９７３号公報
【発明の概要】
【発明が解決しようとする課題】
【０００４】
ところで、媒体収納装置では、記録媒体をセットしやすいことが望まれており、記録媒体をさらにセットしやすくすることが期待されている。
【０００５】
記録媒体をセットしやすくすることができる媒体収納装置および画像形成装置を提供することが望ましい。
【課題を解決するための手段】
【０００６】
本発明の一実施の形態における媒体収納装置は、支持部材と、第１のガイド部材とを備える。支持部材は、第１の方向に延伸するとともに第１の方向と交差する第２の方向に並ぶ第１の部分および第２の部分と、第１の部分および第２の部分を互いに接続する第３の部分とを有し、基準位置から第１の部分が持ち上がるように傾斜可能であり、記録媒体を支持するように構成される。第１のガイド部材は、第１の部分および第２の部分の間に設けられた部分を含む第１の基部と、第１の基部に対して立設する第１の立設部とを有し、記録媒体をガイドするように構成される。支持部材が基準位置にある場合において、第１の基部の、第１の部分に近接する領域における上面の第１の高さ位置は、第１の部分の、第１の基部に近接する領域における上面の第２の高さ位置よりも低く、第２の部分の、第１の基部に近接する領域における上面の第３の高さ位置は、第１の基部の、第２の部分に近接する領域における上面の第４の高さ位置よりも低いように構成される。
【０００７】
本発明の一実施の形態における画像形成装置は、媒体収納部と、搬送部と、画像形成部とを備えている。媒体収納部は記録媒体を収納するように構成される。搬送部は、媒体収納部に収納された記録媒体を搬送するように構成される。画像形成部は、搬送部により搬送された記録媒体に画像を形成するように構成される。媒体収納部は、支持部材と、第１のガイド部材とを有する。支持部材は、第１の方向に延伸するとともに第１の方向と交差する第２の方向に並ぶ第１の部分および第２の部分と、第１の部分および第２の部分を互いに接続する第３の部分とを有し、基準位置から第１の部分が持ち上がるように傾斜可能であり、記録媒体を支持するように構成される。第１のガイド部材は、第１の部分および第２の部分の間に設けられた部分を含む第１の基部と、第１の基部に対して立設する第１の立設部とを有し、記録媒体をガイドするように構成される。支持部材が基準位置にある場合において、第１の基部の、第１の部分に近接する領域における上面の第１の高さ位置は、第１の部分の、第１の基部に近接する領域における上面の第２の高さ位置よりも低く、第２の部分の、第１の基部に近接する領域における上面の第３の高さ位置は、第１の基部の、第２の部分に近接する領域における上面の第４の高さ位置よりも低いように構成される。
【発明の効果】
【０００８】
本発明の一実施の形態における媒体収納装置および画像形成装置によれば、支持部材が基準位置にある場合において、第１の基部の、第１の部分に近接する領域における上面の第１の高さ位置を、第１の部分の、第１の基部に近接する領域における上面の第２の高さ位置よりも低くし、第２の部分の、第１の基部に近接する領域における上面の第３の高さ位置を、第１の基部の、第２の部分に近接する領域における上面の第４の高さ位置よりも低くしたので、記録媒体をセットしやすくすることができる。
【図面の簡単な説明】
【０００９】
【図１】一実施の形態に係る画像形成装置の一構成例を表す構成図である。
【図２】図１に示した画像形成部の一構成例を表す構成図である。
【図３】一実施の形態に係る画像形成装置の制御系の一例を表すブロック図である。
【図４】第１の実施の形態に係る媒体収納部の一構成例を表す斜視図である。
【図５】図４に示したシートレシーブおよび媒体ガイドの一構成例を表す斜視図である。
【図６】図４に示したシートレシーブおよび媒体ガイドの位置関係を表す説明図である。
【図７】第１の実施の形態に係る媒体収納部の作用を表す説明図である。
【図８】第１の実施の形態に係る媒体収納部の作用を表す他の説明図である。
【図９】第１の実施の形態に係る媒体収納部の作用を表す他の説明図である。
【図１０】第２の実施の形態に係るシートレシーブおよび媒体ガイドの一構成例を表す斜視図である。
【図１１】図１０に示したシートレシーブおよび媒体ガイドの一構成例を表す他の斜視図である。
【図１２】図１１に示したシートレシーブおよび媒体ガイドの位置関係を表す説明図である。
【図１３】第２の実施の形態に係る媒体収納部の作用を表す説明図である。
【発明を実施するための形態】
【００１０】
以下、本発明の実施の形態について、図面を参照して詳細に説明する。なお、説明は以下の順序で行う。
１．第１の実施の形態
２．第２の実施の形態
【００１１】
＜１．第１の実施の形態＞
［構成例］
図１は、本発明の一実施の形態に係る媒体収納装置を備えた画像形成装置（画像形成装置１）の一構成例を表すものである。画像形成装置１は、例えば普通用紙等からなる記録媒体に対して、電子写真方式を用いて画像を形成するプリンタである。画像形成装置１は、媒体収納部６０と、搬送ローラ１１と、媒体供給ローラ１２と、レジストローラ１３と、搬送ローラ１４と、４つの画像形成部２０（画像形成部２０Ｙ，２０Ｍ，２０Ｃ，２０Ｋ）と、４つの露光ヘッド２９（露光ヘッド２９Ｙ，２９Ｍ，２９Ｃ，２９Ｋ）と、転写部３０と、定着部１５と、セパレータ１６と、搬送ローラ４１〜４５と、排出ローラ１７，１８とを備えている。これらの部材は、記録媒体９を搬送する搬送路１０に沿って配置される。
【００１２】
媒体収納部６０は、画像を形成すべき記録媒体９を収納するように構成される。媒体収納部６０は、図１の左側から、画像形成装置１の筐体９９にスライドして挿入されるように構成される。媒体収納部６０は、シートレシーブ６１と、分離ローラ６２とを有している。シートレシーブ６１は、媒体収納部６０に収納された記録媒体９を積載するとともに、記録媒体９の積載量に応じた角度で傾斜可能に構成される。シートレシーブ６１は、画像形成装置１の筐体９９から媒体収納部６０を引き出した場合には、傾斜しないほぼフラットな状態（基準位置）に固定される。また、シートレシーブ６１は、媒体収納部６０が画像形成装置１の筐体９９に挿入された場合には、図示しないモータにより駆動されることにより傾斜するようになっている。分離ローラ６２は、搬送路１０を挟んで媒体供給ローラ１２と対をなすように構成される。
【００１３】
搬送ローラ１１は、媒体収納部６０に収納されている記録媒体９を分離ローラ６２および媒体供給ローラ１２に向かって搬送するように構成される。
【００１４】
媒体供給ローラ１２は、搬送路１０を挟んで分離ローラ６２と対をなし、媒体収納部６０に収納されている記録媒体９をその最上部から１枚ずつ取り出し、取り出した記録媒体９を搬送路１０に送り出すように構成される。
【００１５】
レジストローラ１３は、搬送路１０を挟む１対のローラであり、分離ローラ６２および媒体供給ローラ１２から搬送された記録媒体９の斜行（スキュー）を矯正するとともに、搬送路１０に沿って記録媒体９を搬送するように構成される。
【００１６】
搬送ローラ１４は、搬送路１０を挟む１対のローラであり、レジストローラ１３から供給された記録媒体９を搬送路１０に沿って搬送するように構成される。
【００１７】
４つの画像形成部２０は、トナー像を形成するように構成される。具体的には、画像形成部２０Ｙは、黄色（Ｙ）のトナー像を形成し、画像形成部２０Ｍは、マゼンタ色（Ｍ）のトナー像を形成し、画像形成部２０Ｃは、シアン色（Ｃ）のトナー像を形成し、画像形成部２０Ｋは、黒色（Ｋ）のトナー像を形成するようになっている。この例では、４つの画像形成部２０は、記録媒体９の搬送方向Ｆにおいて、画像形成部２０Ｙ，２０Ｍ，２０Ｃ，２０Ｋの順に配置される。各画像形成部２０は、画像形成装置１に対して着脱可能に構成される。
【００１８】
図２は、画像形成部２０の一構成例を表すものである。なお、図２では、露光ヘッド２９をも図示している。画像形成部２０は、トナー収容部２８と、感光ドラム２１と、クリーニングブレード２２と、帯電ローラ２３と、現像ローラ２４と、現像ブレード２５と、供給ローラ２６とを有している。
【００１９】
トナー収容部２８は、トナーを収容するように構成される。具体的には、画像形成部２０Ｙのトナー収容部２８は黄色のトナーを収容し、画像形成部２０Ｍのトナー収容部２８はマゼンタ色のトナーを収容し、画像形成部２０Ｃのトナー収容部２８はシアン色のトナーを収容し、画像形成部２０Ｋのトナー収容部２８は黒色のトナーを収容するようになっている。
【００２０】
感光ドラム２１は、表面（表層部分）に静電潜像を担持するように構成される。感光ドラム２１は、図示しないドラムモータから伝達された動力により、この例では反時計回りで回転する。感光ドラム２１は、帯電ローラ２３により帯電し、露光ヘッド２９により露光される。具体的には、画像形成部２０Ｙの感光ドラム２１は露光ヘッド２９Ｙにより露光され、画像形成部２０Ｍの感光ドラム２１は露光ヘッド２９Ｍにより露光され、画像形成部２０Ｃの感光ドラム２１は露光ヘッド２９Ｃにより露光され、画像形成部２０Ｋの感光ドラム２１は露光ヘッド２９Ｋにより露光される。これにより、各感光ドラム２１の表面には、静電潜像が形成される。そして、感光ドラム２１に、現像ローラ２４によりトナーが供給されることにより、感光ドラム２１には、静電潜像に応じたトナー像が形成されるようになっている。
【００２１】
クリーニングブレード２２は、感光ドラム２１の表面（表層部分）に残留するトナーを掻き取ってクリーニングするように構成される。
【００２２】
帯電ローラ２３は、感光ドラム２１の表面（表層部分）を帯電させるように構成される。帯電ローラ２３は、感光ドラム２１の表面（周面）に接するように配置され、所定の押し付け量で感光ドラム２１に押し付けられるように配置される。帯電ローラ２３は、感光ドラム２１の回転に応じて、この例では時計回りで回転する。帯電ローラ２３には、画像形成制御部５６（後述）により帯電電圧が印加されるようになっている。
【００２３】
現像ローラ２４は、トナーを表面に担持するように構成される。現像ローラ２４は、感光ドラム２１の表面（周面）に接するように配置され、所定の押し付け量で感光ドラム２１に押し付けられるように配置される。現像ローラ２４は、図示しないドラムモータから伝達された動力により、この例では時計回りで回転する。現像ローラ２４には、画像形成制御部５６（後述）により現像電圧が印加されるようになっている。
【００２４】
現像ブレード２５は、現像ローラ２４の表面に当接することにより、この現像ローラ２４の表面にトナーからなる層（トナー層）を形成させるとともに、そのトナー層の厚さを規制（制御，調整）するように構成される。現像ブレード２５は、例えば、ステンレス等からなる板状弾性部材をＬ字形状に折り曲げたものである。現像ブレード２５は、その折れ曲がった部分が現像ローラ２４の表面に当接するように配置されるとともに、所定の押し付け量で現像ローラ２４に押し付けられるように配置される。
【００２５】
供給ローラ２６は、トナー収容部２８から供給されたトナーを、現像ローラ２４に対して供給するように構成される。供給ローラ２６は、現像ローラ２４の表面（周面）に接するように配置されており、所定の押し付け量で現像ローラ２４に押し付けられるように配置される。供給ローラ２６は、図示しないドラムモータから伝達された動力により、この例では時計回りで回転する。これにより、各画像形成部２０では、供給ローラ２６の表面と現像ローラ２４の表面との間には摩擦が生じる。その結果、各画像形成部２０では、トナーが、いわゆる摩擦帯電により帯電する。供給ローラ２６には、画像形成制御部５６（後述）により供給電圧が印加されるようになっている。
【００２６】
４つの露光ヘッド２９（図１）は、対応する画像形成部２０の感光ドラム２１に対して光を照射するように構成される。具体的には、露光ヘッド２９Ｙは、画像形成部２０Ｙの感光ドラム２１に対して光を照射し、露光ヘッド２９Ｍは、画像形成部２０Ｍの感光ドラム２１に対して光を照射し、露光ヘッド２９Ｃは、画像形成部２０Ｃの感光ドラム２１に対して光を照射し、露光ヘッド２９Ｋは、画像形成部２０Ｋの感光ドラム２１に対して光を照射する。露光ヘッド２９は、例えば、主走査線方向（図１における奥行方向）に並設された複数の発光ダイオードを有し、これらの発光ダイオードを用いて、ドット単位で感光ドラム２１に対して光を照射する。これにより、これらの感光ドラム２１は、対応する露光ヘッド２９により露光され、感光ドラム２１の表面に、静電潜像が形成されるようになっている。
【００２７】
転写部３０は、４つの画像形成部２０により形成されたトナー像を、記録媒体９の被転写面上に転写するように構成される。転写部３０は、転写ベルト３１と、４つの転写ローラ３２（３２Ｙ，３２Ｍ，３２Ｃ，３２Ｋ）と、駆動ローラ３３と、従動ローラ３４とを有している。
【００２８】
転写ベルト３１は、搬送路１０に沿って記録媒体９を搬送方向Ｆに向かって搬送するように構成される。転写ベルト３１は、駆動ローラ３３および従動ローラ３４によって張設（張架）される。そして、転写ベルト３１は、駆動ローラ３３の回転に応じて、搬送方向Ｆの方向に循環搬送されるようになっている。
【００２９】
転写ローラ３２Ｙは、搬送路１０および転写ベルト３１を介して画像形成部２０Ｙの感光ドラム２１に対向配置され、転写ローラ３２Ｍは、搬送路１０および転写ベルト３１を介して画像形成部２０Ｍの感光ドラム２１に対向配置され、転写ローラ３２Ｃは、搬送路１０および転写ベルト３１を介して画像形成部２０Ｃの感光ドラム２１に対向配置され、転写ローラ３２Ｋは、搬送路１０および転写ベルト３１を介して画像形成部２０Ｋの感光ドラム２１に対向配置される。転写ローラ３２Ｙ，３２Ｍ，３２Ｃ，３２Ｋのそれぞれには、画像形成制御部５６（後述）により転写電圧が印加される。これにより、画像形成装置１では、各画像形成部２０により形成されたトナー像が、記録媒体９の被転写面上にそれぞれ転写されるようになっている。
【００３０】
駆動ローラ３３は、従動ローラ３４とともに転写ベルト３１を張設するとともに、この転写ベルト３１を循環搬送するように構成される。この例では、駆動ローラ３３は、搬送方向Ｆにおいて、４つの画像形成部２０の下流に配置される。駆動ローラ３３は、図示しないベルトモータから伝達された動力により、この例では時計回りで回転するようになっている。
【００３１】
従動ローラ３４は、駆動ローラ３３とともに転写ベルト３１を張設するとともに、転写ベルト３１の循環搬送に応じて従動回転するように構成される。この例では、従動ローラ３４は、搬送方向Ｆにおいて、４つの画像形成部２０の上流に配置される。
【００３２】
定着部１５は、記録媒体９に対し熱および圧力を付与することにより、記録媒体９上に転写されたトナー像を記録媒体９に定着させるように構成される。定着部１５は、ヒートローラ１５Ａと、加圧ローラ１５Ｂとを有している。ヒートローラ１５Ａは、記録媒体９上のトナーに対して熱を付与するように構成される。ヒートローラ１５Ａは、例えばハロゲンヒータなどのヒータを含んで構成される。ヒートローラ１５Ａは、図示しないヒータモータから伝達された動力により、この例では反時計回りで回転するようになっている。加圧ローラ１５Ｂは、所定の押し付け量でヒートローラ１５Ａに押し付けられるように構成される。これにより、定着部１５では、ヒートローラ１５Ａおよび加圧ローラ１５Ｂの間にニップ部が形成され、このニップ部において、記録媒体９上のトナーが、加熱され、融解し、加圧される。その結果、トナー像が記録媒体９上に定着するようになっている。
【００３３】
セパレータ１６は、定着部１５から供給された記録媒体９を搬送すべき搬送路１０を、レジストローラ１３へ戻す搬送路１０（搬送路１０Ａ、退避搬送路１０Ｂ、搬送路１０Ｃ）および排出トレイ１９に導く搬送路１０（搬送路１０Ｄ）のうちの一方に切り替えるように構成される。なお、図１では、セパレータ１６は、記録媒体９を搬送路１０Ｄに導いている。記録媒体９をレジストローラ１３へ戻す搬送路１０は、記録媒体９の両面に画像を形成する、いわゆる両面印刷を行う場合に選択される。
【００３４】
搬送ローラ４１は、搬送路１０Ａにおいてセパレータ１６の下流に配置された、搬送路１０Ａを挟む１対のローラであり、セパレータ１６により搬送路１０Ａに導かれた記録媒体９を、搬送路１０Ａに沿って搬送するように構成される。
【００３５】
搬送ローラ４２は、１対のローラであり、搬送路１０Ａに沿って搬送ローラ４１により搬送された記録媒体９を退避搬送路１０Ｂに搬送し、その後に記録媒体９の搬送方向を逆向きにし、退避搬送路１０Ｂに退避された記録媒体９を、搬送路１０Ｃに沿って搬送するように構成される。
【００３６】
搬送ローラ４３は、搬送路１０Ｃを挟む１対のローラであり、搬送ローラ４４は、搬送路１０Ｃを挟む１対のローラであり、搬送ローラ４５は、搬送路１０Ｃを挟む１対のローラである。搬送ローラ４３〜４５は、搬送路１０Ｃに沿って記録媒体９をレジストローラ１３に向かって搬送するように構成される。
【００３７】
排出ローラ１７は、搬送路１０Ｄにおいてセパレータ１６の下流に配置された、搬送路１０Ｄを挟む１対のローラであり、セパレータ１６により搬送路１０Ｄに導かれた記録媒体９を、搬送路１０Ｄに沿って搬送するように構成される。
【００３８】
排出ローラ１８は、搬送路１０Ｄを挟む１対のローラであり、排出ローラ１７により搬送された記録媒体９を排出トレイ１９に向かって搬送するように構成される。
【００３９】
図３は、画像形成装置１の制御系の一例を表すものである。画像形成装置１は、通信部５１と、表示操作部５２と、センサ５３、シートレシーブ駆動部５４と、搬送制御部５５と、画像形成制御部５６と、定着制御部５７と、制御部５８とを備えている。
【００４０】
通信部５１は、例えばＵＳＢ（Universal Serial Bus）やＬＡＮ（Local Area Network）を用いて通信を行うように構成される。通信部５１は、例えば、ホストコンピュータ（図示せず）から送信された印刷データＤＰを受信するように構成される。
【００４１】
表示操作部５２は、ユーザの操作を受け付けるとともに、画像形成装置１の動作状態やユーザへの指示などを表示するように構成される。表示操作部５２は、例えば、タッチパネル、各種ボタン、液晶ディスプレイ、各種インジケータなどを用いて構成される。
【００４２】
センサ５３は、媒体収納部６０が画像形成装置１に挿入されたことを検出するように構成される。
【００４３】
シートレシーブ駆動部５４は、例えばモータを含み、制御部５８からの指示に基づいて、媒体収納部６０が画像形成装置１に挿入されたときに、このモータを動作させることにより、シートレシーブ６１を、シートレシーブ６１上の記録媒体９の束の最上部が搬送ローラ１１（図１）に当接するまで傾斜させるように構成される。これにより、シートレシーブ６１は、媒体収納部６０における記録媒体９の積載量に応じた角度で傾斜するようになっている。
【００４４】
搬送制御部５５は、制御部５８からの指示に基づいて、記録媒体９の搬送動作に係る各種モータおよびセパレータ１６の動作を制御することにより、記録媒体９を搬送路１０に沿って搬送させるように構成される。
【００４５】
画像形成制御部５６は、制御部５８からの指示に基づいて、４つの画像形成部２０、４つの露光ヘッド２９、および転写部３０における画像形成動作を制御することにより、記録媒体９に画像を形成させるように構成される。具体的には、画像形成制御部５６は、４つの画像形成部２０および転写部３０において用いられる帯電電圧、現像電圧、供給電圧、および転写電圧を生成する。また、画像形成制御部５６は、図示しないドラムモータおよびベルトモータの動作を制御することにより、４つの画像形成部２０および転写部３０における各種ローラの動作を制御する。また、画像形成制御部５６は、形成すべき画像に基づいて４つの露光ヘッド２９における露光動作を制御するようになっている。
【００４６】
定着制御部５７は、制御部５８からの指示に基づいて、定着部１５における定着動作を制御するように構成される。具体的には、定着制御部５７は、ヒートローラ１５Ａ内のヒータ（図示せず）の動作を制御することにより、定着部１５における温度を制御する。また、定着制御部５７は、図示しないヒータモータの動作を制御することにより、定着部１５における記録媒体９の搬送動作を制御するようになっている。
【００４７】
制御部５８は、画像形成装置１内の各ブロックの動作を制御することにより、画像形成装置１の全体動作を制御するように構成される。制御部５８は、例えば、プログラムを実行可能なプロセッサ、ＲＡＭ（Random Access Memory）、プログラムを格納するＲＯＭ（Read Only Memory）などを用いて構成される。
【００４８】
（媒体収納部６０）
図４は、媒体収納部６０の一構成例を表すものである。媒体収納部６０は、ケース６９と、２つの媒体ガイド６３（媒体ガイド６３Ｌ，６３Ｒ）と、テールガイド６４とを有している。図５は、シートレシーブ６１および２つの媒体ガイド６３の一構成例を表すものである。
【００４９】
ケース６９（図４）は、記録媒体９を収納するように構成される。ケース６９は、前面部６９Ｆと、左側面部６９Ｌと、右側面部６９Ｒと、底部６９Ｂを有している。媒体収納部６０は、ユーザが前面部６９Ｆを押してＹ方向にスライドさせることにより、画像形成装置１の筐体９９に挿入されるように構成される。前面部６９Ｆの上部には、分離ローラ６２が設けられている。また、底部６９Ｂには、シートレシーブ６１、２つの媒体ガイド６３、およびテールガイド６４が設けられている。
【００５０】
シートレシーブ６１（図５）は、積載部６１Ａ〜６１Ｃと、２つのフック形状部６１Ｄとを有している。積載部６１Ａ，６１Ｂは、Ｘ方向に延伸するとともにＹ方向に並ぶように形成される。積載部６１Ｃは、積載部６１ＡのＸ方向における中央付近と、積載部６１ＢのＸ方向における中央付近とを互いに接続する。言い換えれば、シートレシーブ６１では、Ｘ方向の中央付近以外の領域において、積載部６１Ａと積載部６１Ｂの間が切り欠かれ、切り欠き部ＷＬ，ＷＲが形成される。また、積載部６１Ｂには、積載部６１Ｃの近くに段差ＳＬ，ＳＲが設けられている。この例では、段差ＳＬ，ＳＲは、Ｙ方向に延伸するように形成される。この段差ＳＬ，ＳＲを除き、積載部６１Ａ〜６１Ｃの上面は略平坦になるように形成される。これにより、積載部６１Ｂのうちの、切り欠き部ＷＬと隣り合う部分の上面の高さ位置は、積載部６１Ａのうちの、この切り欠き部ＷＬと隣り合う部分の上面の高さ位置よりも低くなるように形成されている。同様に、積載部６１Ｂのうちの、切り欠き部ＷＲと隣り合う部分の上面の高さ位置は、積載部６１Ａのうちの、この切り欠き部ＷＲと隣り合う部分の上面の高さ位置よりも低くなるように形成されている。２つのフック形状部６１Ｄは、積載部６１ＢのＸ方向における両端に形成される。２つのフック形状部６１Ｄは、図４に示したように左側面部６９Ｌおよび右側面部６９Ｒの内側に設けられた突起部６９Ｐと、回動可能にそれぞれ接続されている。すなわち、シートレシーブ６１は、この突起部６９Ｐを回転支点として回動することができる。これにより、シートレシーブ６１は、シートレシーブ駆動部５４による駆動に基づいて、基準位置から、積載部６１Ａが持ち上がるように傾斜することができるようになっている。
【００５１】
２つの媒体ガイド６３（図５）は、記録媒体９の幅方向（Ｘ方向）における記録媒体９の束の側面と当接することにより、記録媒体９をガイドするように構成される。媒体ガイド６３Ｌ，６３Ｒは、シートレシーブ６１の積載部６１Ｃを挟んで、互いに対向するように配置される。すなわち、媒体ガイド６３Ｌは、シートレシーブ６１の切り欠き部ＷＬに配置され、媒体ガイド６３Ｒは、シートレシーブ６１の切り欠き部ＷＲに配置される。媒体ガイド６３Ｌ，６３Ｒは、ケース６９の底部６９Ｂにおいて、Ｘ方向に移動可能に構成される。具体的には、媒体ガイド６３Ｌ，６３Ｒは、Ｘ方向における互いに異なる方向に、同じ移動量だけ移動することができる。これにより、媒体収納部６０では、様々なサイズの記録媒体９をセットすることができるとともに、記録媒体９のサイズによらずに、セットされた記録媒体９の幅方向の中心位置を維持することができるようになっている。
【００５２】
２つの媒体ガイド６３のそれぞれは、基部１０１と、ガイド部１０２，１０３と、突起部１０４とを有している。
【００５３】
基部１０１は、ガイド部１０２を支持するように構成される。２つの媒体ガイド６３をＸ方向に移動し、２つの媒体ガイド６３の間の間隔を狭くすると、２つの媒体ガイド６３の基部１０１は、積載部６１Ｃの下に収まる。これにより、媒体ガイド６３は、狭い幅の記録媒体９をガイドすることができるようになっている。
【００５４】
図６は、シートレシーブ６１が基準位置にある場合における、媒体ガイド６３Ｒと、シートレシーブ６１の積載部６１Ａ，６１Ｂとの位置関係を表すものである。この図６に示したように、基部１０１の、積載部６１Ａに近接する領域における上面の高さ位置は、積載部６１Ａの、基部１０１に近接する領域における上面の高さ位置よりも、高さＨ１だけ低い。また、積載部６１Ｂの、基部１０１に近接する領域における上面の高さ位置は、基部１０１の、積載部６１Ｂに近接する領域における上面の高さ位置よりも、高さＨ２だけ低い。なお、この図６では、媒体ガイド６３Ｒと積載部６１Ａ，６１Ｂとの位置関係について記載したが、媒体ガイド６３Ｌと積載部６１Ａ，６１Ｂとの位置関係についても同様である。これにより、画像形成装置１では、後述するように、ユーザが媒体収納部６０に記録媒体９をセットする際に、記録媒体９をセットしやすくすることができるようになっている。
【００５５】
ガイド部１０２は、基部１０１のうちの積載部６１Ｃから離れた部分において、基部１０１に対して立設するように構成される。ガイド部１０２は、記録媒体９の束の側面に当接するように構成される。ガイド部１０２は、積載部６１Ａの上部において、Ｙ方向に延伸する延伸部分１０２Ａを有するように構成される。言い換えれば、ガイド部１０２では、シートレシーブ６１が傾斜したときに、ガイド部１０２が積載部６１Ａと干渉するのを避けるために、延伸部分１０２Ａの下付近が切り欠かれている。
【００５６】
ガイド部１０３は、ガイド部１０２における、シートレシーブ６１の積載部６１Ａの近くに配置される。このガイド部１０３は、ガイド部１０２における延伸部分１０２Ａに設けられた回転支点１０３Ａを中心に回動可能に構成される。シートレシーブ６１が基準位置にある場合には、図６に示したように、ガイド部１０３は、自重により回動し、ガイド部１０３の下端がシートレシーブ６１の積載部６１Ａに接触することにより、ガイド部１０２の延伸部分１０２Ａの下の切り欠き部を塞ぐ。これにより、画像形成装置１では、後述するように、ユーザが媒体収納部６０に記録媒体９をセットする際に、記録媒体９をセットしやすくすることができるようになっている。
【００５７】
なお、この例では、１枚の板を用いてガイド部１０２の切り欠き部を塞ぐようにしたが、これに限定されるものではなく、複数枚の板を重ね、回転支点１０３Ａを中心にして、これらの複数の板を少しずつずらすようにして、ガイド部１０２切り欠き部を塞ぐようにしてもよい。
【００５８】
媒体ガイド６３Ｌの突起部１０４は、ガイド部１０２の上部において媒体ガイド６３Ｒに向かって突き出るように設けられ、媒体ガイド６３Ｒの突起部１０４は、ガイド部１０２の上部において媒体ガイド６３Ｌに向かって突き出るように設けられる。突起部１０４は、媒体収納部６０から記録媒体９を搬送する際に、シートレシーブ６１上に積載された記録媒体９が浮き上がらないようにするために設けられている。この突起部１０４は、媒体収納部６０における記録媒体９の最大積載量に対応する高さよりも高い位置に配置されている。
【００５９】
テールガイド６４は、記録媒体９の長さ方向（Ｙ方向）における記録媒体９の束の側面と当接することにより、記録媒体９をガイドするように構成される。テールガイド６４は、ケース６９の底部６９Ｂにおいて、Ｙ方向に移動可能に構成される。これにより、媒体収納部６０では、様々なサイズの記録媒体９をセットすることができるようになっている。
【００６０】
ここで、シートレシーブ６１は、本発明における「支持部材」の一具体例に対応する。積載部６１Ａは、本発明における「第１の部分」の一具体例に対応し、積載部６１Ｂは、本発明における「第２の部分」の一具体例に対応し、積載部６１Ｃは、本発明における「第３の部分」の一具体例に対応する。２つの媒体ガイド６３は、本発明における「第１のガイド部材」および「第２のガイド部材」の一具体例に対応する。２つの媒体ガイド６３の基部１０１は、本発明における「第１の基部」および「第２の基部」の一具体例に対応する。２つの媒体ガイド６３のガイド部１０２は、本発明における「第１の立設部」および「第２の立設部」の一具体例に対応する。ガイド部１０３は、本発明における「回動部」の一具体例に対応する。ケース６９は、本発明における「媒体ケース」の一具体例に対応する。シートレシーブ駆動部５４は、本発明における「持ち上げ部」の一具体例に対応する。媒体収納部６０は、本発明における「媒体収納部」の一具体例に対応する。搬送ローラ１１、分離ローラ６２、媒体供給ローラ１２、レジストローラ１３、および搬送ローラ１４は、本発明における「搬送部」の一具体例に対応する。画像形成部２０は、本発明における「画像形成部」の一具体例に対応する。
【００６１】
［動作および作用］
続いて、本実施の形態の画像形成装置１の動作および作用について説明する。
【００６２】
（全体動作概要）
まず、図１，３を参照して、画像形成装置１の全体動作概要を説明する。通信部５１が、ホストコンピュータ（図示せず）から送信された印刷データＤＰを受信すると、制御部５８は、画像形成装置１が画像形成動作を行うように、各ブロックの動作を制御する。これにより、画像形成動作が開始される。
【００６３】
搬送ローラ１１、媒体供給ローラ１２、および分離ローラ６２は、媒体収納部６０に収納されている記録媒体９をその最上部から１枚ずつ取り出し、取り出した記録媒体９を搬送路１０に送り出す。レジストローラ１３は、記録媒体９の斜行（スキュー）を矯正するとともに、搬送路１０に沿って記録媒体９を搬送する。これにより、記録媒体９が４つの画像形成部２０に搬送される。
【００６４】
４つの画像形成部２０のそれぞれでは、帯電ローラ２３により、感光ドラム２１の表面が負に帯電する。そして、感光ドラム２１が露光ヘッド２９により露光されることにより、感光ドラム２１の表面に静電潜像が形成される。そして、感光ドラム２１に、現像ローラ２４によりトナーが供給されることにより、感光ドラム２１には、静電潜像に応じたトナー像が形成される。転写部３０は、４つの画像形成部２０により形成されたトナー像を、記録媒体９の被転写面上に転写する。そして、定着部１５において、記録媒体９上のトナーが、加熱され、融解し、加圧される。その結果、トナー像が記録媒体９上に定着する。
【００６５】
そして、セパレータ１６は、定着部１５から供給された記録媒体９を、この例では搬送路１０Ｄに導く。排出ローラ１７，１８は、記録媒体９を搬送路１０Ｄに沿って搬送する。これにより、記録媒体９が排出トレイ１９に排出される。
【００６６】
（詳細動作）
画像形成装置１では、ユーザは、媒体収納部６０を画像形成装置１の筐体９９から引き出すことにより、記録媒体９を媒体収納部６０にセットする。その際、ユーザは、例えば媒体収納部６０を筐体９９から完全に引き出すことができれば、引き出された媒体収納部６０の真上から、記録媒体９の束をセットすることができる。しかしながら、例えば、画像形成装置１の設置スペースを十分に確保できない場合には、ユーザは、筐体９９から媒体収納部６０を完全に引き出すことができないので、媒体収納部６０を途中まで引き出し、このような途中まで引き出された媒体収納部６０に記録媒体９をセットする。画像形成装置１では、そのような場合でも、ユーザが記録媒体９を媒体収納部６０にセットしやすくすることができる。以下に、この技術について詳細に説明する。
【００６７】
図７，８は、ユーザが記録媒体９をセットするときの媒体収納部６０の状態を表すものである。この例では、ユーザは、画像形成装置１の筐体９９から媒体収納部６０を途中まで引き出している。具体的には、この例では、ユーザは、媒体収納部６０を２０ｃｍ程度引き出している。このように媒体収納部６０を引き出すことにより、シートレシーブ６１は、傾斜しないほぼフラットな状態（基準位置）に固定される。例えばＡ４サイズの記録媒体９をセットする場合、この程度の引き出し量では、ユーザは、媒体収納部６０の真上から、記録媒体９の束をセットすることはできない。よって、ユーザは、図７，８に示したように、媒体収納部６０を途中まで引き出すことにより生じた開口部ＯＰから、記録媒体９の束を滑らせて媒体収納部６０に挿入することにより、記録媒体９を媒体収納部６０にセットする。
【００６８】
ユーザが記録媒体９の束を媒体収納部６０に挿入すると、まず、記録媒体９の束は、媒体ガイド６３Ｌ，６３Ｒにおけるガイド部１０２の手前に設けられたガイド部１０３によりガイドされ、その後に、媒体ガイド６３Ｌ，６３Ｒのガイド部１０２によりガイドされる。そして、記録媒体９の束の下面は、シートレシーブ６１の積載部６１Ａ〜６１Ｃおよび媒体ガイド６３Ｌ，６３Ｒの基部１０１によりガイドされる。
【００６９】
例えば、図７では、記録媒体９の束の下面の先端が、シートレシーブ６１の積載部６１Ａと媒体ガイド６３Ｌ，６３Ｒの基部１０１の境界付近に到達している。画像形成装置１では、図６に示したように、基部１０１の、積載部６１Ａに近接する領域における上面の高さ位置を、積載部６１Ａの、基部１０１に近接する領域における上面の高さ位置よりも低くしている。これにより、画像形成装置１では、図７に示したように、ユーザが記録媒体９の束を媒体収納部６０に挿入する際に、記録媒体９の束の下面の先端が、積載部６１Ａと基部１０１の境界付近にひっかかるおそれを低減することができる。
【００７０】
また、画像形成装置１では、図７に示したように、ガイド部１０３がガイド部１０２の延伸部分１０２Ａの下の切り欠き部を塞ぐ。これにより、画像形成装置１では、図７に示したように、ユーザが記録媒体９の束を媒体収納部６０に挿入する際に、記録媒体９の束の先端の角が、ガイド部１０２の切り欠き部にひっかかるおそれを低減することができる。
【００７１】
また、例えば、図８では、記録媒体９の束の下面の先端が、媒体ガイド６３Ｌ，６３Ｒの基部１０１とシートレシーブ６１の積載部６１Ｂの境界付近に到達している。画像形成装置１では、図６に示したように、積載部６１Ｂの、基部１０１に近接する領域における上面の高さ位置を、基部１０１の、積載部６１Ｂに近接する領域における上面の高さ位置よりも低くしている。これにより、画像形成装置１では、図８に示したように、ユーザが記録媒体９の束を媒体収納部６０に挿入する際に、記録媒体９の束の下面の先端が、基部１０１と積載部６１Ｂとの境界付近にひっかかるおそれを低減することができる。
【００７２】
ユーザがこのように記録媒体９の束を滑らせて媒体収納部６０に挿入し終えると、ユーザは、前面部６９Ｆを押して媒体収納部６０をＹ方向にスライドさせることにより、媒体収納部６０を画像形成装置１の筐体９９に挿入する。これにより、画像形成装置１では、この例では、センサ５３が、媒体収納部６０が画像形成装置１の筐体９９に挿入されたことを検出し、シートレシーブ駆動部５４は、図示しないモータを動作させることにより、シートレシーブ６１を、基準位置から、シートレシーブ６１上の記録媒体９の束の最上部が搬送ローラ１１（図１）に当接するまで傾斜させる。その結果、シートレシーブ６１は、媒体収納部６０における記録媒体９の積載量に応じた角度で傾斜する。
【００７３】
シートレシーブ駆動部５４は、画像形成装置１が画像形成動作を行う度に、同様にシートレシーブ６１を駆動する。よって、シートレシーブ６１の傾斜角度は、画像形成動作を繰り返し行うことにより、媒体収納部６０における記録媒体９の積載量が少なくなるほど大きくなる。
【００７４】
図９は、記録媒体９の積載量が少ない場合における媒体収納部６０の状態を表すものである。画像形成装置１では、画像形成動作を繰り返し行うことにより、記録媒体９の積載量が少なくなり、シートレシーブ６１の傾斜角度が大きくなる。これにより、媒体収納部６０では、図９に示したように、そのシートレシーブ６１の傾斜角度に応じて、シートレシーブ６１の積載部６１Ａがガイド部１０３の下端を押し上げる。ガイド部１０３は、ガイド部１０２の延伸部分１０２Ａに設けられた回転支点１０３Ａを中心に回動することができるので、シートレシーブ６１は、このガイド部１０３により妨げられることなく、傾斜することができる。
【００７５】
また、図９に示したようにシートレシーブ６１の傾斜角度が大きくなると、積載部６１Ｂの、基部１０１に近接する領域における上面の高さ位置は、基部１０１の、積載部６１Ｂに近接する領域における上面の高さ位置よりも高くなる。図９では、この高さ位置の差を、高さＨ２ａで示している。これにより、例えば、媒体収納部６０に収納された記録媒体９は、シートレシーブ６１により保持され、基部１０１の、積載部６１Ｂに近接する端部により持ち上げられることはないので、記録媒体９の変形を抑制することができる。また、例えば、媒体収納部６０に収納された最後の１枚の記録媒体９が媒体収納部６０から搬送される際、その記録媒体９は基部１０１の端部に接触しないため、記録媒体９がこの基部１０１の端部と接触することによりこすれるおそれを低減することができる。なお、記録媒体９の積載量により、この高さＨ２ａは変化し得る。よって、記録媒体９を媒体収納部６０に収納したときに、この高さＨ２ａが０（ゼロ）以上になるような積載量を、媒体収納部６０の記録媒体９の最大積載量にしてもよい。これにより、例えば、媒体収納部６０に収納された記録媒体９の変形を抑制することができる。
【００７６】
このように、画像形成装置１では、図６に示したように、シートレシーブ６１が基準位置にある場合において、基部１０１の、積載部６１Ａに近接する領域における上面の高さ位置を、積載部６１Ａの、基部１０１に近接する領域における上面の高さ位置よりも低くした。これにより、画像形成装置１では、例えば、ユーザが、記録媒体９の束を滑らせて媒体収納部６０に挿入する場合において、図７に示したように、記録媒体９の束の下面の先端が、積載部６１Ａと基部１０１との境界付近にひっかかるおそれを低減することができるので、記録媒体９を媒体収納部６０にセットしやすくすることができる。
【００７７】
また、画像形成装置１では、図６に示したように、シートレシーブ６１が基準位置にある場合において、積載部６１Ｂの、基部１０１に近接する領域における上面の高さ位置を、基部１０１の、積載部６１Ｂに近接する領域における上面の高さ位置よりも低くした。これにより、画像形成装置１では、例えば、ユーザが、記録媒体９の束を滑らせて媒体収納部６０に挿入する場合において、図８に示したように、記録媒体９の束の下面の先端が、基部１０１と積載部６１Ｂとの境界付近にひっかかるおそれを低減することができるので、記録媒体９を媒体収納部６０にセットしやすくすることができる。
【００７８】
また、画像形成装置１では、ガイド部１０２の延伸部分１０２Ａに設けられた回転支点１０３Ａを中心に回動可能なガイド部１０３を設けるようにした。これにより、画像形成装置１では、シートレシーブ６１が基準位置にある場合に、ガイド部１０３がガイド部１０２の延伸部分１０２Ａの下の切り欠き部を塞ぐことができる。よって、例えば、ユーザが、記録媒体９の束を滑らせて媒体収納部６０に挿入する場合において、図７に示したように、記録媒体９の束の先端の角が、ガイド部１０２の切り欠き部にひっかかるおそれを低減することができるので、記録媒体９を媒体収納部６０にセットしやすくすることができる。
【００７９】
また、このようにガイド部１０３が回転支点１０３Ａを中心に回動することができるので、シートレシーブ６１は、このガイド部１０３により妨げられることなく傾斜することができるため、記録媒体９の積載量が少なくなった場合でも、記録媒体９を搬送路１０に供給することができる。
【００８０】
また、画像形成装置１では、このように、ユーザが、記録媒体９の束を滑らせて媒体収納部６０に挿入しやすくすることができるので、媒体収納部６０を画像形成装置１の筐体９９から途中までしか引き出すことができない場合でも、記録媒体９を媒体収納部６０にセットしやすくすることができる。言い換えれば、画像形成装置１の設置スペースを十分に確保できない場合でも、記録媒体９を媒体収納部６０にセットしやすくすることができる。
【００８１】
また、画像形成装置１では、例えば、筐体９９から媒体収納部６０を完全に引き出すことができる場合でも、ユーザが、記録媒体９の束を滑らせて媒体収納部６０に挿入することにより、記録媒体９にダメージを与えるおそれを低減することができる。すなわち、媒体収納部６０を筐体９９から完全に引き出した場合には、ユーザは、引き出された媒体収納部６０の真上から、記録媒体９の束をセットすることができる。しかしながら、この場合には、記録媒体９の束をセットする際に、記録媒体９が、媒体ガイド６３Ｌ，６３Ｒのガイド部１０２の上部に設けられた突起部１０４（図５）と干渉するため、記録媒体９にダメージを与えるおそれがある。一方、画像形成装置１では、ユーザは、記録媒体９の束を滑らせて媒体収納部６０に挿入することができるので、記録媒体９がこの突起部１０４と干渉するおそれを低減することができる。その結果、画像形成装置１では、ユーザが媒体収納部６０に記録媒体９をセットする際に記録媒体９にダメージを与えるおそれを低減することができる。
【００８２】
［効果］
以上のように本実施の形態では、シートレシーブが基準位置にある場合において、基部１０１の、積載部６１Ａに近接する領域における上面の高さ位置を、積載部６１Ａの、基部１０１に近接する領域における上面の高さ位置よりも低くしたので、記録媒体を媒体収納部にセットしやすくすることができる。
【００８３】
本実施の形態では、シートレシーブが基準位置にある場合において、積載部６１Ｂの、基部１０１に近接する領域における上面の高さ位置を、基部１０１の、積載部６１Ｂに近接する領域における上面の高さ位置よりも低くしたので、記録媒体を媒体収納部にセットしやすくすることができる。
【００８４】
本実施の形態では、ガイド部１０２の延伸部分に設けられた回転支点を中心に回動可能なガイド部１０３を設けるようにしたので、記録媒体を媒体収納部にセットしやすくすることができる。
【００８５】
［変形例１］
上記実施の形態では、シートレシーブ駆動部５４がシートレシーブ６１を傾斜させるようにしたが、これに限定されるものではなく、これに代えて、例えば、スプリングによる付勢力を用いてシートレシーブ６１を傾斜させるようにしてもよい。この場合には、このスプリングは、本発明における「持ち上げ部」の一具体例に対応する。
【００８６】
＜２．第２の実施の形態＞
次に、第２の実施の形態に係る画像形成装置２について説明する。本実施の形態は、シートレシーブおよび媒体ガイドの構成が、上記第１の実施の形態と異なるものである。なお、上記第１の実施の形態に係る画像形成装置１と実質的に同一の構成部分には同一の符号を付し、適宜説明を省略する。
【００８７】
画像形成装置２は、図１に示したように、媒体収納部７０を備えている。媒体収納部７０は、上記第１の実施の形態に係る媒体収納部６０（図４）と同様に、シートレシーブ７１と、２つの媒体ガイド７３（媒体ガイド７３Ｌ，７３Ｒ）とを有している。
【００８８】
図１０は、シートレシーブ７１および２つの媒体ガイド７３の一構成例を表すものである。図１１は、２つの媒体ガイド７３をＸ方向に移動し、２つの媒体ガイド７３の間の間隔を狭くしたときの、シートレシーブ７１および２つの媒体ガイド７３の位置関係を表すものである。
【００８９】
シートレシーブ７１は、積載部６１Ａ，７１Ｂ，６１Ｃと、２つのフック形状部６１Ｄとを有している。積載部６１Ａ，７１Ｂは、Ｘ方向に延伸するとともにＹ方向に並ぶように形成される。積載部６１Ｃは、積載部６１ＡのＸ方向における中央付近と、積載部７１ＢのＸ方向における中央付近とを互いに接続する。積載部６１Ａ，７１Ｂ，６１Ｃの上面は略平坦になるように形成される。
【００９０】
２つの媒体ガイド７３のそれぞれは、基部２０１と、ガイド部１０２，１０３と、突起部１０４とを有している。基部２０１は、ガイド部１０２を支持するように構成される。基部２０１は、平坦部分２０１Ａと、傾斜部分２０１Ｂとを有する。平坦部分２０１Ａはガイド部１０２から離れた部分であり、平坦部分２０１Ａの上面は、Ｙ方向において平坦に構成される。傾斜部分２０１Ｂは、ガイド部１０２に近接する部分であり、傾斜部分２０１Ｂの上面は、Ｙ方向において傾斜するように構成される。具体的には、傾斜部分２０１Ｂの上面の高さ位置は、積載部６１Ａに近づくほど低くなり、積載部７１Ｂに近づくほど高くなるように構成される。
【００９１】
図１１に示したように、２つの媒体ガイド７３の間の間隔を狭くすると、２つの媒体ガイド７３の基部２０１のうちの平坦部分２０１Ａは、積載部６１Ｃの下に収まる。一方、２つの媒体ガイド７３の基部２０１のうちの傾斜部分２０１Ｂは、この積載部６１Ｃと干渉するので、積載部６１Ｃの下に収まらないようになっている。
【００９２】
図１２は、シートレシーブ７１が基準位置にある場合における、媒体ガイド７３Ｒと、シートレシーブ７１の積載部６１Ａ，７１Ｂとの位置関係を表すものである。この図１２に示したように、基部２０１における傾斜部分２０１Ｂの、積載部６１Ａに近接する領域における上面の高さ位置は、積載部６１Ａの、この傾斜部分２０１Ｂに近接する領域における上面の高さ位置よりも、高さＨ３だけ低い。また、積載部７１Ｂの、この傾斜部分２０１Ｂに近接する領域における上面の高さ位置は、この傾斜部分２０１Ｂの、積載部７１Ｂに近接する領域における上面の高さ位置よりも、高さＨ４だけ低い。なお、この図１２では、媒体ガイド７３Ｒと積載部６１Ａ，７１Ｂとの位置関係について記載したが、媒体ガイド７３Ｌと積載部６１Ａ，７１Ｂとの位置関係についても同様である。
【００９３】
図１３は、記録媒体９の積載量が少ない場合における媒体収納部７０の状態を表すものである。図１３に示したようにシートレシーブ７１の傾斜角度が大きくなると、積載部７１Ｂの、傾斜部分２０１Ｂに近接する領域における上面の高さ位置は、この傾斜部分２０１Ｂの、積載部７１Ｂに近接する領域における上面の高さ位置よりも高くなる。図１３では、この高さ位置の差を、高さＨ４ａで示している。これにより、例えば、媒体収納部７０に収納された記録媒体９は、シートレシーブ７１により保持され、傾斜部分２０１Ｂの、積載部７１Ｂに近接する端部により持ち上げられることはないので、記録媒体９の変形を抑制することができる。また、例えば、媒体収納部７０に収納された最後の１枚の記録媒体９が媒体収納部７０から搬送される際、その記録媒体９はその傾斜部分２０１Ｂの端部に接触しないため、この傾斜部分２０１Ｂの端部がその記録媒体９に影響を与えるおそれを低減することができる。なお、記録媒体９の積載量により、この高さＨ４ａは変化し得る。よって、記録媒体９を媒体収納部７０に収納したときに、この高さＨ４ａが０（ゼロ）以上になるような積載量を、媒体収納部７０における記録媒体９の最大積載量にしてもよい。これにより、例えば、媒体収納部７０に収納された記録媒体９の変形を抑制することができる。
【００９４】
このように、画像形成装置２では、シートレシーブ７１が基準位置にある場合において、基部２０１における傾斜部分２０１Ｂの、積載部６１Ａに近接する領域における上面の高さ位置を、積載部６１Ａの、この傾斜部分２０１Ｂに近接する領域における上面の高さ位置よりも低くした。これにより、画像形成装置２では、上記第１の実施の形態の場合（図７）と同様に、例えば、ユーザが、記録媒体９の束を滑らせて媒体収納部７０に挿入する場合において、記録媒体９の束の下面の先端が、積載部６１Ａと基部２０１との境界付近にひっかかるおそれを低減することができるので、記録媒体９を媒体収納部７０にセットしやすくすることができる。
【００９５】
また、画像形成装置２では、シートレシーブ７１が基準位置にある場合において、積載部７１Ｂの、基部２０１における傾斜部分２０１Ｂに近接する領域における上面の高さ位置を、この傾斜部分２０１Ｂの、積載部７１Ｂに近接する領域における上面の高さ位置よりも低くした。これにより、画像形成装置２では、上記第１の実施の形態の場合（図８）と同様に、例えば、ユーザが、記録媒体９の束を滑らせて媒体収納部７０に挿入する場合において、記録媒体９の束の下面の先端が、基部２０１と積載部７１Ｂとの境界付近にひっかかるおそれを低減することができるので、記録媒体９を媒体収納部６０にセットしやすくすることができる。
【００９６】
以上のように本実施の形態では、シートレシーブが基準位置にある場合において、基部２０１における傾斜部分の、積載部６１Ａに近接する領域における上面の高さ位置を、積載部６１Ａの、この傾斜部分に近接する領域における上面の高さ位置よりも低くしたので、記録媒体を媒体収納部にセットしやすくすることができる。
【００９７】
本実施の形態では、シートレシーブが基準位置にある場合において、積載部７１Ｂの、基部２０１における傾斜部分に近接する領域における上面の高さ位置を、この傾斜部分の、積載部７１Ｂに近接する領域における上面の高さ位置よりも低くしたので、記録媒体を媒体収納部にセットしやすくすることができる。
【００９８】
以上、いくつかの実施の形態および変形例を挙げて本技術を説明したが、本技術はこれらの実施の形態等には限定されず、種々の変形が可能である。
【００９９】
例えば、上記の各実施の形態等では、媒体ガイドの基部はシートレシーブの積載部６１Ａと重ならないようにしたが、これに限定されるものではなく、これに代えて、例えば、基部の一部が積載部６１Ａの下に配置されるようにしてもよい。
【０１００】
例えば、上記の各実施の形態等では、電子写真方式により、記録媒体９に画像を形成したが、これに限定されるものではなく、どのような方式で画像を形成してもよい。また、上記の実施の形態等では、記録媒体９にカラー画像を形成したが、これに限定されるものではなく、モノクロ画像を形成してもよい。
【０１０１】
例えば、上記の実施の形態等では、本技術を単機能のプリンタに適用したが、これに限定されるものではなく、これに代えて、例えば、コピー機能、ファックス機能、スキャン機能、プリント機能などを有する、いわゆる多機能周辺装置（ＭＦＰ；Multi  Function Peripheral）に適用してもよい。
【符号の説明】
【０１０２】
１，２…画像形成装置、１０，１０Ａ，１０Ｃ，１０Ｄ…搬送路、１０Ｂ…退避搬送路、１１…搬送ローラ、１２…媒体供給ローラ、１３…レジストローラ、１４…搬送ローラ、１５…定着部、１５Ａ…ヒートローラ、１５Ｂ…加圧ローラ、１６…セパレータ、１７，１８…排出ローラ、１９…排出トレイ、２０，２０Ｙ，２０Ｍ，２０Ｃ，２０Ｋ…画像形成部、２１…感光ドラム、２２…クリーニングブレード、２３…帯電ローラ、２４…現像ローラ、２５…現像ブレード、２６…供給ローラ、２８…トナー収容部、２９，２９Ｙ，２９Ｍ，２９Ｃ，２９Ｋ…露光ヘッド、３０…転写部、３１…転写ベルト、３２，３２Ｙ，３２Ｍ，３２Ｃ，３２Ｋ…転写ローラ、３３…駆動ローラ、３４…従動ローラ、４１〜４５…搬送ローラ、５１…通信部、５２…表示操作部、５３…センサ、５４…シートレシーブ駆動部、５５…搬送制御部、５６…画像形成制御部、５７…定着制御部、５８…制御部、６０，７０…媒体収納部、６１，７１…シートレシーブ、６１Ａ〜６１Ｃ，７１Ｂ…積載部、６１Ｄ…フック形状部、６２…分離ローラ、６３，６３Ｌ，６３Ｒ，７３，７３Ｌ，７３Ｒ…媒体ガイド、６４…テールガイド、６９…ケース、６９Ｂ…底部、６９Ｆ…前面部、６９Ｌ…左側面部、６９Ｐ…突起部、６９Ｒ…右側面部、１０１，２０１…基部、１０２…ガイド部、１０２Ａ…延伸部分、１０３…ガイド部、１０３Ａ…回転支点、１０４…突起部、２０１Ａ…平坦部分、２０１Ｂ…傾斜部分、ＳＬ，ＳＲ…段差。
【図１】
2020050467.tif 000003
【図２】
2020050467.tif 000004
【図３】
2020050467.tif 000005
【図４】
2020050467.tif 000006
【図５】
2020050467.tif 000007
【図６】
2020050467.tif 000008
【図７】
2020050467.tif 000009
【図８】
2020050467.tif 000010
【図９】
2020050467.tif 000011
【図１０】
2020050467.tif 000012
【図１１】
2020050467.tif 000013
【図１２】
2020050467.tif 000014
【図１３】
2020050467.tif 000015